(57)【要約】【課題】  複数の２次元コードを簡単に取得し復元するカメラ付き携帯電話および前記２次元コード表示方法を提供する。【解決手段】  画像などの伝送情報を分割して、コード化された２次元コード群１２を作成して、２次元コード群１２を、時間的に差替えてテレビジョン２６などの動画表示可能な表示装置で表示する。携帯電話機１は、２次元配列センサであるＣＣＤカメラ２で順次撮像する。ＣＰＵ７はフレームメモリ４に格納される２次元コードをデコードし、情報を復元する。復元された情報は、一時的にメモリ８に格納される。以降順次、次に表示される２次元コードを撮像し情報を復元するという処理を繰り返した後、２次元コード群１２の全ての２次元コードがデコードされ情報が復元された後、復元された情報の連結を行い１つの情報として復元する。【選択図】        図５
2005309756.tif 000002
【特許請求の範囲】
【請求項１】
対象情報を記憶する対象情報記録装置と、
対象情報記録装置に記憶された対象情報を分割して複数の分割情報を生成し、対象情報を復元するための連結情報を分割情報にそれぞれ付して、複数の連結情報付き分割情報を生成する分割情報生成部と、
分割情報生成部が生成した複数の連結情報付き分割情報をそれぞれ２次元コードにコード化するコーダと、
コーダがコード化した複数の２次元コードを出力する２次元コード出力部と
を備えた情報変換装置と、
２次元コード出力部が出力した複数の２次元コードを撮像する撮像器と、
撮像器が撮像した複数の２次元コードをデコードして複数の連結情報付き分割情報をデコードするデコーダと、
デコーダがデコードした連結情報付き分割情報から連結情報と分割情報とを分離し連結情報に基づいて分割情報を結合して対象情報を復元する情報復元部と
を備えた情報復元装置と
を備えたことを特徴とする情報伝達システム。
【請求項２】
対象情報を記憶する対象情報記録装置と、
対象情報記録装置に記憶された対象情報を分割して複数の分割情報を生成し、対象情報を復元するための連結情報を分割情報にそれぞれ付して、複数の連結情報付き分割情報を生成する分割情報生成部と、
分割情報生成部が生成した複数の連結情報付き分割情報をそれぞれ２次元コードにコード化するコーダと、
コーダがコード化した複数の２次元コードを出力する２次元コード出力部と
を備えたことを特徴とする情報変換装置。
【請求項３】
上記２次元コード出力部は、複数の２次元コードを表示装置に順次表示するように複数の２次元コードを送信することを特徴とする請求項２記載の情報変換装置。
【請求項４】
上記２次元コード出力部は、複数の２次元コードを表示装置に順次繰り返し表示するように複数の２次元コードを繰り返し送信することを特徴とする請求項２記載の情報変換装置。
【請求項５】
上記２次元コード出力部は、複数の２次元コード間にブランクコードをはさんで送信することを特徴とする請求項２記載の情報変換装置。
【請求項６】
対象情報を復元する連結情報が含まれた複数の２次元コードを撮像する撮像器と、
撮像器が撮像した複数の２次元コードをデコードして複数の連結情報付き分割情報をデコードするデコーダと、
デコーダがデコードした連結情報付き分割情報から連結情報と分割情報とを分離し連結情報に基づいて分割情報を結合して対象情報を復元する情報復元部と
を備えたことを特徴とする情報復元装置。
【請求項７】
上記撮像器は、表示装置に順次表示される複数の２次元コードを撮像することを特徴とする請求項５記載の情報復元装置。
【請求項８】
上記撮像器は、情報復元部が対象情報の復元が完了した場合に、撮像を終了することを特徴とする請求項６記載の情報復元装置。
【請求項９】
対象情報を復元する連結情報が含まれた複数の２次元コードを受信する受信部と、
受信部が受信した複数の２次元コードを記録する２次元コード記録装置と、
２次元コード記録装置に記録された複数の２次元コードを表示するディスプレイ部と、
受信部が受信した複数の２次元コードの２次元コード記録装置への記録と、２次元コード記録装置に記録された複数の２次元コードのディスプレイ部への表示とを制御する記録・読み出し制御部とを備えたことを特徴とする表示装置。
【発明の詳細な説明】
【技術分野】
【０００１】
この発明は、情報変換装置が伝達情報から生成した複数の２次元コードを表示装置に表示し情報復元装置に伝達情報を復元させる情報伝達システムに関するものである。
【０００２】
例えば、情報を複数の２次元配列の画像として表わす２次元コードを、時間軸方向に拡張した３次元コードとして表示装置に表示し、前記３次元コードを撮像及び情報復元するシステムに関するものである。
【背景技術】
【０００３】
近年、カメラ付き携帯電話の普及に伴い、情報を２次元配列画像で表すＱＲ（Ｑｕｉｃｋ  Ｒｅｓｐｏｎｓｅ）コードなどの２次元コードを使用した各種のサービスが考えられている。
【０００４】
２次元コードを紙などの媒体に表示し、前記２次元コードをカメラ付き携帯電話で撮像して２次元コードを取得し、復元することにより、雑誌などの媒体を通して、携帯電話の着信メロディやＵＲＬ（Ｕｎｉｆｏｒｍ  Ｒｅｓｏｕｒｃｅ  Ｌｏｃａｔｏｒ）情報などを取得できる。
【０００５】
また、地上デジタル放送においては、テレビジョン画面上に２次元コードを表示しカメラ付き携帯電話で２次元コードから情報を取得するサービスも考えられている。
【０００６】
ここで、前記２次元コードの情報量は、数キロバイト程度であるが、携帯電話の高性能化に伴い着信メロディは１曲当たり数十キロバイト程度のものもあり、２次元コードから情報を取得しようとした場合、複数の２次元コードを取得し復元する必要があるため、取得の順序が指定されたり、ＣＣＤ（Ｃｈａｒｇｅ−Ｃｏｕｐｌｅｄ  Ｄｅｖｉｃｅｓ）カメラなどの２次元配列センサの位置を移動して取得する必要があるなど取得操作が煩雑となる。
【０００７】
さらに、カメラ付き携帯電話機やデジタルカメラの中には、動画撮影機能を持つものもあり、複数枚の静止画を連続して撮影することが可能になってきている。
【０００８】
従来の複数枚の２次元コードを、連続して取得する技術として、「複数のＱＲコードを順次スクロール表示し、情報を受信するＰＯＳ端末では、複数のＱＲコードを順次撮像することによって、情報を通信する構成」がある（特許文献１参照）。
【特許文献１】特開２００３−６５７０号公報（第１０頁、段落［００６５］）
【発明の開示】
【発明が解決しようとする課題】
【０００９】
近年の動画撮影機能付き携帯電話や動画撮影機能付きデジタルカメラ、デジタルムービーの普及によりＣＣＤカメラなどの２次元配列センサを搭載した機器は普及してきている。
【００１０】
複数の２次元コードをセンサの位置を変えずに取得する方法として、従来の技術では、前記２次元コードの読取センサとして１次元配列センサを使用し、複数の２次元コードを順次スクロール表示させて撮像することで情報の取得を行っていた。
【００１１】
しかし、２次元配列センサを使用して複数の２次元コードに別れた情報を復元する場合には、２次元コードを順次表示させ、その表示に同期して２次元コードを手動で撮像し個々の２次元コードを取得する必要がある。
【００１２】
この発明は、上記のような問題を解決するためになされたもので、例えば、特別な同期手段を持たずに、複数の２次元コードを順次撮像して情報を復元する方式や方法を提供することを目的とする。
【課題を解決するための手段】
【００１３】
この発明の情報伝達システムは、
対象情報を記憶する対象情報記録装置と、
対象情報記録装置に記憶された対象情報を分割して複数の分割情報を生成し、対象情報を復元するための連結情報を分割情報にそれぞれ付して、複数の連結情報付き分割情報を生成する分割情報生成部と、
分割情報生成部が生成した複数の連結情報付き分割情報をそれぞれ２次元コードにコード化するコーダと、
コーダがコード化した複数の２次元コードを出力する２次元コード出力部と
を備えた情報変換装置と、
２次元コード出力部が出力した複数の２次元コードを撮像する撮像器と、
撮像器が撮像した複数の２次元コードをデコードして複数の連結情報付き分割情報をデコードするデコーダと、
デコーダがデコードした連結情報付き分割情報から連結情報と分割情報とを分離し連結情報に基づいて分割情報を結合して対象情報を復元する情報復元部と
を備えた情報復元装置と
を備えたことを特徴とする。
【発明の効果】
【００１４】
この発明によれば、対象情報を分割し連結情報を付して複数の２次元コードを生成し、時間的に２次元コードを切替えて表示させたものを情報復元装置で順次撮像し連結情報を用いて対象情報を復元できるように構成したので、２次元コードの表示に同期させて手動で撮像する必要がなく複数の２次元コードを取得し、対象情報を復元させることができる。
【００１５】
また、２次元コードには連結情報を記録するよう構成したため、情報復元装置が対象情報を正しく復元することができる。
【００１６】
また、２次元コードを全て復元した時点で、情報復元装置が撮像を停止することができる。
【発明を実施するための最良の形態】
【００１７】
実施の形態１．
本発明の第１の実施の形態について、図１を用いて説明する。
【００１８】
図１は、第１の実施の形態の情報伝達システムの概略構成図である。
【００１９】
図１において、放送局サーバ２５は、情報変換装置の一例である。
【００２０】
図１において、テレビジョン２６は、表示装置の一例である。
【００２１】
図１において、携帯電話機１は、情報復元装置の一例である。
【００２２】
放送局サーバ２５は、視聴者に伝達したい情報を対象情報として記憶している。放送局サーバ２５は、対象情報を２次元コード群にしてデータ放送する。
【００２３】
テレビジョン２６は、データ放送された２次元コード群をディスプレイ部１７の画面２７に順に表示する。
【００２４】
携帯電話機１は、ＣＣＤ（Ｃｈａｒｇｅ−Ｃｏｕｐｌｅｄ  Ｄｅｖｉｃｅｓ）カメラ２を備えており、ディスプレイ部１７の画面２７の同一部分に順に上書き表示された２次元コード群をＣＣＤカメラ２で撮像する。携帯電話機１は、２次元コード群をデコードして対象情報を復元する。以下、ディスプレイ部１７の画面２５の同一部分に順に上書き表示される２次元コード群を３次元コードということにする。ここで、３次元というのは、Ｘ軸とＹ軸と時間軸（Ｚ軸）とを意味している。
【００２５】
図２は、放送局サーバ２５の構成図である。
【００２６】
図２の放送局サーバ２５は、２次元画像情報を得るカメラ８２、Ａ／Ｄ（Ａｎａｌｏｇ／Ｄｉｇｉｔａｌ）変換器８３、２次元画像情報を記憶するフレームメモリ８４、ディスプレイ部８５、情報を放送する放送処理部８６、ＣＰＵ（Ｃｅｎｔｒａｌ  Ｐｒｏｃｅｓｓｉｎｇ  Ｕｎｉｔ）８７、ＣＰＵ７のメモリ８、ＣＰＵ８７のプログラムや放送局サーバ２５の各種設定情報を格納する固定ディスク８９、マイク９０、キーボード９１で構成されている。また、放送局サーバ２５は、視聴者に伝達したい情報を対象情報として記録する対象情報記録装置９２を備えている。
【００２７】
放送局サーバ２５は、１つの大きな情報を対象情報記録装置９２に記録する。たとえば、カメラ８２で撮像した画像情報、音楽情報、音声情報、又は、これらを組み合わせたマルチメディア情報が伝達の対象となる対象情報である。
【００２８】
ＣＰＵ８７は、固定ディスク８９に記憶されているプログラムを実行することによって動作する。ＣＰＵ８７は、放送処理の他に、対象情報からの２次元コード群１２の生成処理や２次元コード群の対象情報記録装置９２への記録やテレビジョン２６への配信の制御を行う。
【００２９】
図３は、放送局サーバ２５の論理構成図である。
【００３０】
放送局サーバ２５は、対象情報記録装置９２に記憶された対象情報を入力し、分割して複数の分割情報を生成し、対象情報を復元するための連結情報を分割情報にそれぞれ付して、複数の連結情報付き分割情報を生成する分割情報生成部９４を備えている。分割サイズは、２次元コードでコード化できる情報量である。連結情報とは、例えば、２次元コードの全枚数ｎと何枚目のデータであるかを示す情報である。連結情報は、分割されたデータが元通り連結できるものであればどのような情報でもよい。
【００３１】
また、放送局サーバ２５は、分割情報生成部９４が生成した複数の連結情報付き分割情報をそれぞれ２次元コードにコード化するコーダ９５を備えている。
【００３２】
また、放送局サーバ２５は、コーダ９５がコード化した複数の２次元コード（２次元コード群１２）を出力する２次元コード出力部９６を備えている。２次元コード出力部９６から出力される２次元コード群１２は放送データとして、又は、放送データの一部として配信される。また、対象情報記録装置９２へ記録されてもよい。
【００３３】
以上のように、放送局サーバは、１つの大きな情報を分割して複数のＱＲ（Ｑｕｉｃｋ  Ｒｅｓｐｏｎｓｅ）コードなどの２次元コードとし、配信できる構成となっている。
【００３４】
図４は、テレビジョン２６の構成図である。
【００３５】
図４のテレビジョン１３は、放送データの受信部１４、フレームメモリ１５、画像を表示するディスプレイ部１７、ディスプレイ部１７を駆動するドライバ１６、マイクロコンピュータを主体として構成するＣＰＵ１８、ＣＰＵ１８のメモリ１９、ＣＰＵ１８の実行プログラムや設定を保存するフラッシュＲＯＭ２０、操作ボタン２１で構成される。
【００３６】
放送局サーバ２５から送信される放送データを受信部１４で受信及び復調し、ＣＰＵ１８でデコード処理された後、順次フレームメモリ１５に書きこみ、画像フレームレートに従って、ドライバ１６で制御され、ディスプレイ部１７上にテレビジョン映像２２を順次表示する。
【００３７】
なお、テレビジョン２６は、２次元コードを時刻の経過とともに、順に表示できるものであれば他の表示装置でもよい。
【００３８】
図５は、携帯電話機１の構成図である。
【００３９】
図５の携帯電話機１は、２次元配列のＣＣＤ（Ｃｈａｒｇｅ−Ｃｏｕｐｌｅｄ  Ｄｅｖｉｃｅｓ）カメラ２、Ａ／Ｄ（Ａｎａｌｏｇ／Ｄｉｇｉｔａｌ）変換器３、２次元画像情報を記憶するフレームメモリ４、ディスプレイ部５、無線処理部６、マイクロコンピュータを主体として構成するＣＰＵ（Ｃｅｎｔｒａｌ  Ｐｒｏｃｅｓｓｉｎｇ  Ｕｎｉｔ）７、ＣＰＵ７のメモリ８、ＣＰＵ７のプログラムや携帯電話機１の各種設定情報を格納するフラッシュＲＯＭ（Ｒｅａｄ  Ｏｎｌｙ  Ｍｅｍｏｒｙ）９、スピーカ１０、操作ボタン１１で構成されている。
【００４０】
携帯電話機１は、時間的に切替えて表示される２次元コード群１２を読み取ることができる構成となっている。
【００４１】
図５には、２次元コードの一例としてＱＲコード７７を示している。
【００４２】
ＱＲ（Ｑｕｉｃｋ  Ｒｅｓｐｏｎｓｅ）コードとは、２次元コードの一種である。バーコードは、１次元方向だけに情報を持っているのに対し、ＱＲコードは、縦、横二方向に情報を持つ。従って、記録できる情報量を増加させることができる。なお、ＱＲコード以外の２次元コードを用いる場合でもかまわない。
【００４３】
図６は、携帯電話機１の論理構成図である。
【００４４】
携帯電話機１は、対象情報を復元する連結情報が含まれた複数の２次元コードを撮像するＣＣＤカメラ２（撮像器の一例）を備えている。
【００４５】
また、携帯電話機１は、ＣＣＤカメラ２が撮像した複数の２次元コードをデコードして複数の連結情報付き分割情報を復元するデコーダ３１を備えている。
【００４６】
また、デコーダ３１がデコードした連結情報付き分割情報から連結情報と分割情報とを分離し連結情報に基づいて分割情報を結合して対象情報を復元する情報復元部３２を備えている。復元された対象情報は、携帯電話機１のディスプレイ部５やスピーカ１０に出力される。また、フラッシュＲＯＭ９に記録される。
【００４７】
ＣＰＵ７は、フラッシュＲＯＭ９に記憶されているプログラムを実行することによって動作する。
【００４８】
ＣＰＵ７は電話機能処理の他に、２次元コード群１２の撮影をする際のＣＣＤカメラ２の制御、取得した２次元コードの情報を復元するデコード処理、２次元コードをデコードした結果をフラッシュＲＯＭ９やメモリ８に記憶させたり、ディスプレイ部５に表示したり、スピーカ１０で音声を出力する制御を行う。
【００４９】
ＣＣＤカメラ２は２次元的に表示されている２次元コードを撮像し、光信号を電気信号に変換する。
【００５０】
変換された電気信号は、Ａ／Ｄ変換器３で、デジタルデータに変換され、フレームメモリ４に１枚の画像データとして記憶される。
【００５１】
ＣＰＵ７はフレームメモリ４に格納されている２次元コードのデジタルデータをデコードし、情報を復元する。
【００５２】
復元された情報は、一時的にメモリ８に格納される。
【００５３】
以降順次、次に表示される２次元コードを撮像し情報を復元するという処理を繰り返した後、２次元コード群１２の全ての２次元コードがデコードされ情報が復元された後、復元された情報の連結を行い１つの情報として復元する。
【００５４】
図７は、２次元コード群１２の説明図である。
【００５５】
２次元コード群１２は、放送局サーバ２５により生成され配信される。２次元コード群１２は、テレビジョン１３の受信部１４で受信され、テレビジョン２６のディスプレイ部１７に表示される。
【００５６】
２次元コード群１２は、図７に示すようにある時間間隔の画像フレーム切替えで表示される。
【００５７】
図７では、２次元コード群１２の画像フレームであるデータが、データ（１／ｎ）、データ（２／ｎ）、・・・と順番にデータ（ｎ／ｎ）まで時間的に切替えられて表示され、データ（ｎ／ｎ）の次はデータ（１／ｎ）が表示され、これらのデータ表示が繰り返される２次元コード群１２を示している。
【００５８】
この２次元コード群１２の各画像フレームであるデータには、２次元コードの全枚数ｎと何枚目のデータであるかを示す情報を含んでいる。２次元コードの全枚数ｎと何枚目のデータであるかを示す情報は、連結情報の一例である。なお、連結情報は、分割されたデータが元通り連結できるものであれば、どのような情報でもよい。
【００５９】
図８は、図７に示した２次元コード群の各画像フレームであるデータの表示期間を表示装置の１フレーム表示期間に対して示したものである。
【００６０】
例えば、画像フレームが１秒当たり３０フレーム表示できる表示装置を使用し、携帯電話器の撮像が１秒当たり１５フレーム撮像できるものを使用した場合に、１枚の２次元コード画像フレーム表示期間に最低２枚の同一画像を撮像できるように設定した時の例を示したものである。
【００６１】
図８の場合、２次元コード画像フレーム１枚は、２次元コード群の表示装置の５フレーム分に相当する期間表示される。
【００６２】
表示装置の１秒当たりの表示フレーム数Ｋ、携帯電話の撮像の１秒当たりの撮像フレーム数Ｌとすると、２次元コードの画像フレームの最低表示期間Ｔ（秒）は、
最低表示期間Ｔ＝（１＋２×Ｋ／Ｌ）／Ｋ
で計算される。
【００６３】
図８の場合は、
最低表示期間Ｔ＝（１＋２×３０／１５）／３０＝５／３０＝１／６
となり、２次元コードの１画像フレームを１／６秒間最低表示することになる。
【００６４】
ここでの最低表示期間Ｔ（秒）とは、１秒当たり１５フレーム撮像できる携帯電話機が、１秒当たり３０フレーム表示できる表示装置から最低２枚の同一画像を撮像できる期間のことをいう。
【００６５】
このように構成された携帯電話機１の２次元コード群の表示方法のデコーダ３１と情報復元部３２の動作をフローチャートにしたのが図９である。
【００６６】
１．デコーダ３１の動作
ＣＰＵ７は、２次元コード群１２の撮像を開始する操作ボタン１１が押されたことを検出すると、ＣＣＤカメラ２にて撮像を開始する（ステップＢ１のＹｅｓ）。
【００６７】
撮影された２次元コード画像は、フレームメモリ４に保存されるため、ＣＰＵ７はフレームメモリから撮影した２次元コード画像データを読み出す（ステップＢ２）。
【００６８】
ＣＰＵ７は、読み出した２次元コード画像データをデコード処理し、デコードデータをメモリ８に記憶される変数ＤＥＣ＿ＤＡＴＡに格納する（ステップＢ３）。
【００６９】
ステップＢ３でデコードできずエラーとなった場合は、次に撮影された２次元コード画像をフレームメモリ４から読み出すステップＢ２に戻る（ステップＢ４のＹｅｓ）。
【００７０】
ステップＢ４でエラーとならなかった場合は、前回のデコードデータである変数ＴＭＰと今回のデコードデータである変数ＤＥＣ＿ＤＡＴＡを比較し、前回のデコードデータと一致しない場合、つまり変数ＴＭＰと変数ＤＥＣ＿ＤＡＴＡが異なる場合（ステップＢ５のＤＥＣ＿ＤＡＴＡ！＝ＴＭＰ）は、変数ＴＭＰを今回のデコードデータである変数ＤＥＣ＿ＤＡＴＡに更新し（ステップＢ６）、次に撮影された２次元コード画像をフレームメモリ４から読み出すステップＢ２に戻る。
【００７１】
前回のデコードデータと今回のデコードデータが一致する場合、つまり変数ＴＭＰと変数ＤＥＣ＿ＤＡＴＡが一致する場合（ステップＢ５のＤＥＣ＿ＤＡＴＡ＝ＴＭＰ）は、デコードデータをメモリ８に記録する。
【００７２】
ｎ枚のデータがデコード完了したかどうかを判断し、２次元コード群１２が全てデコード完了するまで繰り返す（ステップＢ７のＮｏ）。
【００７３】
２．情報復元部３２の動作
２次元コード群を全コードデコード完了したら、メモリ８に格納した各デコードデータを連結処理（ステップＢ８）し、２次元コード群に分割された情報を復元して、復元処理を終了する。
【００７４】
次いで、２次元コード群１２の撮像を停止しディスプレイ部５に復元終了の表示を行う。復元されたデータは、画像データであれば、ディスプレイ部５に表示させ、着信メロディなどの音声であればスピーカ１０にて音声として出力する。
【００７５】
また復元されたデータはフラッシュＲＯＭ９に保存してもよい。
【００７６】
以上のように、この実施の形態では、３次元コード表示方法として、表示装置の表示手段が、情報を２次元配列の画像として表示し、端末の撮像手段が、前記表示手段に表示された２次元配列の画像である２次元コードを撮像することによって、前記表示装置から前記端末に情報を伝達する３次元コード表示システム及び３次元コード表示方法を説明した。
【００７７】
この実施の形態では、前記表示手段を、２次元コードを時間的に順次差し替える３次元コードとして表示するように構成したことを特徴とする。
【００７８】
また、３次元コードの表示方法は、２次元コードのデータフレーム群を繰り返し表示することを特徴とする。
【００７９】
また、前記端末の撮像手段は、前記表示手段に表示する３次元コードを撮像する２次元配列センサを備え、前記撮像手段により３次元コードに記録されている情報を復元する情報復元手段を備えたことを特徴とする。
【００８０】
また、前記端末が、カメラ付き携帯電話であることを特徴とする。
【００８１】
また、カメラ付き携帯電話は、前記３次元コードの情報復元の終了を検出した後に、前記撮像手段の撮像を停止することを特徴とする。
【００８２】
この実施の形態によれば、１つの大きな情報を、連結情報を付した複数の２次元コードに分割し、時間的に２次元コードを切替えて表示させたものを携帯電話機１で２次元配列センサであるＣＣＤカメラ２を用いて順次撮像し、連結情報により元の情報を復元できるように構成したので、２次元コードの表示に同期させて手動で撮像する必要がなく、複数の２次元コードを取得し、情報を復元させることができる。
【００８３】
また、２次元コード群は、連結情報として、１枚ごとに何枚中の何番目のデータであることを記録するよう構成したため、２次元コード群を全て復元した時点で、撮像を停止することができ、携帯電話機１の消費電力の低減化を図ることができる。
【００８４】
また、２次元コード群は、繰り返し表示するような表示方法にしたため、ユーザは任意のタイミングで２次元コード群の撮像を開始できる。
【００８５】
また、直前にデコードした２次元コードに対し復元結果が一致することで、１枚の２次元コードの情報を確定するように構成したので、誤ってデコードすることが無くなり、表示側と撮影側の特別な同期機構が不要となる。
【００８６】
尚、第１の実施の形態ではカメラ付き携帯電話で説明したが、２次元配列センサを備え、動画像を撮影できるデジタルカメラやデジタルムービーなどでもよい。
【００８７】
実施の形態２．
次に本発明の第２の実施の形態について、図１から図６及び、図１０から図１２を用いて説明する。
【００８８】
尚、第１の実施の形態と同一部分には同一符号で説明する。また、第１の実施の形態と異なる点を説明する。
【００８９】
第２の実施の形態は、第１の実施の形態の２次元コード群１２の表示方法を図９に示すような方法に変更したものである。
【００９０】
図９は、２次元コード画像フレームであるデータが、画像が全黒もしくは全白であるブランク、データ（１／ｎ）、ブランク、データ（２／ｎ）、…と順番にデータ（ｎ／ｎ）まで時間的に切替えられて表示され、データ（ｎ／ｎ）の次はブランク、データ（１／ｎ）が表示され、これらが繰り返し表示される２次元コード群１２を示している。
【００９１】
この２次元コード群１２の各画像フレームであるデータには、２次元コードの全枚数ｎと何枚目のデータであるかを示す情報を含んでいる。２次元コードの全枚数ｎと何枚目のデータであるかを示す情報は、連結情報の一例である。
【００９２】
図１１は、図１０に示した２次元コード群の各画像フレームであるデータの表示期間を表示装置の１フレーム表示期間に対して示したものである。
【００９３】
例えば、画像フレームが１秒当たり３０フレーム表示できる表示装置を使用し、携帯電話の撮像が１秒当たり１５フレーム撮像できるものを使用した場合、１枚の２次元コード画像フレーム表示期間に最低１枚の正常画像を撮像できるように設定した時の例を示したものである。
【００９４】
図１１の場合、２次元コード画像フレーム１枚またはブランクフレーム１枚は、２次元コード群表示装置の３フレーム分に相当する期間表示される。
【００９５】
計算式は、表示装置の１秒当たりの表示フレーム数Ｋ、携帯電話の撮像が１秒当たりの撮像フレーム数Ｌとすると、２次元コード画像フレームの最低表示期間Ｔ（秒）は、
最低表示期間Ｔ＝（１＋Ｋ／Ｌ）／Ｋ
で計算される。
【００９６】
図１１の場合、
最低表示期間Ｔ＝（１＋３０／１５）／３０＝３／３０＝１／１０
となり、２次元コードの１画像フレームを１／１０秒間最低表示することになる。
【００９７】
ここでの最低表示期間Ｔ（秒）とは、１秒当たり１５フレーム撮像できる携帯電話機が、１秒当たり３０フレーム表示できる表示装置から最低１枚の正常画像を撮像できる期間のことをいう。
【００９８】
このように構成された前記携帯電話機１の２次元コード群の表示方法のデコーダ３１と情報復元部３２の動作をフローチャートにしたのが図１２である。
【００９９】
１．デコーダ３１の動作
デコーダ３１は、ブランクフラグをオンオフさせてブランクフレームの除去を行う。ブランクフラグは、設定値が１の時、ブランクフレームであることを表す変数である。ブランクフラグの初期値は０にして初期化するものとする。
【０１００】
ＣＰＵ７は、２次元コード群１２の撮像を開始する操作ボタン１１が押されたことを検出すると、ＣＣＤカメラ２にて撮像を開始する（ステップＡ１のＹｅｓ）。
【０１０１】
ブランクフラグに０をセットして初期化する（ステップＡ２）。
【０１０２】
撮影された２次元コード画像は、フレームメモリ４に保存されるため、ＣＰＵ７はフレームメモリから撮影した２次元コード画像データを読み出す（ステップＡ３）。
【０１０３】
ＣＰＵ７は、読み出した２次元コード画像データのブランクフレーム判定を行い、ブランクフレームである場合（ステップＡ４のＹｅｓ）は、変数ブランクフラグに１をセットし（ステップＡ５）、次に撮影された２次元コード画像をフレームメモリ４から読み出すステップＡ３に戻る。
【０１０４】
ステップＡ４で２次元コード画像データがブランクでない場合（ステップＡ４のＮｏ）は、変数ブランクフラグの値をチェックする（ステップＡ６）。
【０１０５】
変数ブランクフラグの値が０の時、次に撮影された２次元コード画像をフレームメモリ４から読み出すステップＡ３に戻る。
【０１０６】
ステップＡ６で変数ブランクフラグの値が１の時は、２次元コード画像をデコードする（ステップＡ７）。
【０１０７】
デコードできずエラーとなった場合は、次に撮影された２次元コード画像をフレームメモリ４から読み出すステップＡ３に戻る（ステップＡ８のＹｅｓ）。
【０１０８】
ステップＡ８でエラーとならなかった場合は、デコードデータをメモリ８に記録する。ｎ枚のデータがデコード完了したかどうかを判断し、２次元コード群１２が全てデコード完了するまで繰り返す（ステップＡ９のＮｏ）。
【０１０９】
２．情報復元部３２の動作
２次元コード群を全コードデコード完了したら、メモリ８に格納した各デコードデータを連結処理（ステップＡ１０）し、２次元コード群に分割された情報を復元して、復元処理を終了する。
【０１１０】
次いで、２次元コード群１２の撮像を停止しディスプレイ部５に復元終了の表示を行う。
【０１１１】
復元されたデータは、画像データであれば、ディスプレイ部５に表示させ、着信メロディなどの音声であればスピーカ１０に音声として出力する。また復元されたデータはフラッシュＲＯＭ９に保存してもよい。
【０１１２】
以上のように、この実施の形態では、３次元コード表示方法において、３次元コードの表示方法を２次元コードのデータフレーム間にブランクフレームをはさんで構成したことを特徴とする。
【０１１３】
第２の実施の形態によれば、前記第１の実施の形態に記載したものと同様の作用と効果を得ることができる。また、ブランクフレームをはさんで構成したことにより、正常画像を確実に取得することができる。
【０１１４】
実施の形態３．
次に本発明の第３の実施の形態について、図１３を用いて説明する。
【０１１５】
図１３のテレビジョン１３は、放送データの受信部１４、フレームメモリ１５、画像を表示するディスプレイ部１７、ディスプレイ部１７を駆動するドライバ１６、マイクロコンピュータを主体として構成するＣＰＵ１８、ＣＰＵ１８のメモリ１９、ＣＰＵ１８の実行プログラムや設定を保存するフラッシュＲＯＭ２０、操作ボタン２１、映像の記録・読出し制御部２３、２次元コード記録装置２４で構成される。
【０１１６】
放送局サーバ２５から送信される放送データを受信部１４で受信及び復調し、ＣＰＵ１８でデコード処理された後、順次フレームメモリ１５に書きこみ、画像フレームレートに従って、ドライバ１６で制御され、ディスプレイ部１７上にテレビジョン映像２２を順次表示する。
【０１１７】
ＣＰＵ１８が復調されたデータをデコード処理した時に３次元コードを検出した場合は、記録・読出し制御部２３は２次元コード記録装置２４に３次元コードを含んだ画像の記録を開始する。
【０１１８】
３次元コードを検出しなくなった時点で、記録・読出し制御部２３はＣＰＵ１８により２次元コード記録装置２４に記録停止指示を行う。
【０１１９】
操作ボタン２１にて３次元コードの再生指示がされた場合、記録・読出し制御部２３はＣＰＵ１８により２次元コード記録装置２４から３次元コードを含んだ映像を読出し、ディスプレイ部１７に表示する。
【０１２０】
以上のように、この実施の形態では、３次元コード表示方法において、表示装置に前記３次元コードを含む映像を録画する手段と前記３次元コードを含む映像を復元する手段を備えることを特徴とする。
【０１２１】
第３の実施の形態によれば、ユーザは放送中という限られた時間内に３次元コードを前記携帯電話機で撮像および情報再生する必要は無く、任意に３次元コードを取得することができる効果がある。
【０１２２】
３次元コードを使用したサービスとして、以下のようなものが考えられる。
（１）テレビコマーシャルやドラマの主題歌の携帯電話着信メロディを３次元コード化してテレビで配信するサービス。
（２）デジタルカメラなどの画像修飾用フレームを３次元コード化してテレビで配信する。通信手段を持たなくても前記フレームなどのおまけを入手できるサービス。
（３）店の入り口に３次元コードを表示できるモニタを置いておき、３次元コードから店のお買い得情報などの広告情報を入手できるサービス。
【図面の簡単な説明】
【０１２３】
【図１】情報伝達システムの概略構成図である。
【図２】放送局サーバ２５の構成図である。
【図３】放送局サーバ２５の論理構成図である。
【図４】テレビジョン２６の構成図である。
【図５】携帯電話機１の構成図である。
【図６】携帯電話機１の論理構成図である。
【図７】実施の形態１の３次元コードの構成例を表す図である。
【図８】実施の形態１の３０Ｈｚ／１フレームで表示する表示装置における３次元コードのフレーム構成例を表す図である。
【図９】実施の形態１の３次元コードを処理する端末の処理フローチャートである。
【図１０】実施の形態２の３次元コードの構成例を表す図である。
【図１１】実施の形態２の３０Ｈｚ／１フレームで表示する表示装置における３次元コードのフレーム構成例を表す図である。
【図１２】実施の形態２の３次元コードを処理する端末の処理フローチャートである。
【図１３】実施の形態３のデータ放送を受信するテレビジョンを３次元コード表示装置とし、３次元コードが配信されたときに画面を録画記録及び再生要求に従い画面再生をする表示装置の回路ブロック図である。
【符号の説明】
【０１２４】
１  携帯電話機、２  ＣＣＤカメラ、３  Ａ／Ｄ変換器、４  フレームメモリ、５  ディスプレイ部、６  無線処理部、７  ＣＰＵ、８  メモリ、９  フラッシュＲＯＭ、１０  スピーカ、１１  操作ボタン、１２  ２次元コード群、１４  受信部、１５  フレームメモリ、１６  ドライバ、１７  ディスプレイ部、１８  ＣＰＵ、１９  メモリ、２０  フラッシュＲＯＭ、２１  操作ボタン、２２  テレビジョン映像、２３  記録・読出し制御部、２４  ２次元コード記録装置、２５  放送局サーバ、２６  テレビジョン。
【図１】
2005309756.tif 000003
【図２】
2005309756.tif 000004
【図３】
2005309756.tif 000005
【図４】
2005309756.tif 000006
【図５】
2005309756.tif 000007
【図６】
2005309756.tif 000008
【図７】
2005309756.tif 000009
【図８】
2005309756.tif 000010
【図９】
2005309756.tif 000011
【図１０】
2005309756.tif 000012
【図１１】
2005309756.tif 000013
【図１２】
2005309756.tif 000014
【図１３】
2005309756.tif 000015